(57)【要約】【課題】収納部に収納された収納物が押し固められる可能性を未然に低減し、収納物を取り出しやすいサイロを提供することが可能となる。【解決手段】  収納部２２に回転可能に設けられた主軸３０の回転に伴って複数の攪拌羽根４０が回転し、収納部２２に収納された収納物を攪拌する。このとき、攪拌羽根４０ｊに、複数の爪部４４が設けられているため、攪拌羽根４０ｊの回転に伴って複数の爪部４４も回転し、収納物を攪拌する。こうすることにより、爪部４４を有しない場合と比較して、収納物が自重等によって押し固められる可能性を未然に低減することができる。このため、収納物を収納部２２から取り出す際、容易に取り出すことが可能なサイロを提供することができる。【選択図】図１
2019142562.tif 000002
【特許請求の範囲】
【請求項１】
収納部に収納された収納物を攪拌可能なサイロであって、
前記収納部に回転可能に設けられた主軸と、
前記主軸の回転に伴って回転する複数の攪拌羽根と、
を備え、
複数の前記攪拌羽根の少なくとも一つに、複数の爪部が設けられていることを特徴とする、
サイロ。
【請求項２】
複数の前記爪部は、前記主軸の最も下方側に位置する前記攪拌羽根に設けられており、
複数の前記爪部は、複数の前記爪部が設けられた前記攪拌羽根の下面よりも上方側に位置することを特徴とする、
請求項１に記載のサイロ。
【請求項３】
前記爪部は、前記攪拌羽根の前記主軸側と他端側との中間位置よりも他端側に設けられていることを特徴とする、
請求項１又は２に記載のサイロ。
【請求項４】
前記主軸の最も下方側に位置する前記攪拌羽根は、回転方向に対して後方側に空気を供給する通風孔を有し、
前記爪部は、前記攪拌羽根の回転方向に対して前方側に設けられていることを特徴とする、
請求項１から３のいずれか１項に記載のサイロ。
【発明の詳細な説明】
【技術分野】
【０００１】
本発明は、サイロに関する。
【背景技術】
【０００２】
従来、既存設備を有効活用でき且つランニングコストが安く、被貯蔵物の変質や腐敗等を効果的に防止し得るサイロが知られている。例えば、特許文献１では、穀物やその加工品等からなる被貯蔵物を貯蔵するためのサイロ本体と、被貯蔵物が充填されていないサイロ本体上部の未充填空間内を換気するための換気手段であって、未充填空間内へ外気を導入するための吸気ダクトと、未充填空間内の空気を外部へ排出するための排気ダクトと、吸気ダクトから未充填空間を通って排気ダクトへ至る、空気の流れを形成するためのブロワとを有する換気手段とを備えたサイロが記載されている。このサイロでは、サイロ本体上部の未充填空間を換気して外気と入れ替えることにより、未充填空間内と外気との温度差を少なくして、未充填空間に面するサイロ本体の内壁面における結露の発生が防止される。このため、結露水による被貯蔵物の変質や腐敗や醗酵を防止することが可能となる。
【先行技術文献】
【特許文献】
【０００３】
【特許文献１】特開２００１−２６１０９３号公報
【発明の概要】
【発明が解決しようとする課題】
【０００４】
一方で、このようなサイロで被貯蔵物を貯蔵した場合、被貯蔵物の自重等により被貯蔵物が互いに押し固められてしまう場合がある。このような場合には、被貯蔵物を取り出す際、取り出し口から容易に取り出すことができないという課題がある。
【０００５】
本発明は、このような課題に鑑みなされたものであり、貯蔵された貯蔵物を容易に取り出すことができるサイロを提供することを目的とする。
【課題を解決するための手段】
【０００６】
本発明は、上述の主目的を達成するために以下の手段を採った。
【０００７】
本発明のサイロは、
収納部に収納された収納物を攪拌可能なサイロであって、
前記収納部に回転可能に設けられた主軸と、
前記主軸の回転に伴って回転する複数の攪拌羽根と、
を備え、
複数の前記攪拌羽根の少なくとも一つに、複数の爪部が設けられていることを特徴とする、
ものである。
【０００８】
このサイロでは、収納部に回転可能に設けられた主軸の回転に伴って複数の攪拌羽根が回転し、収納部に収納された収納物を攪拌する。このように、複数の攪拌羽根を回転させることにより、収納部に収納された収納物が押し固められる可能性を低減すると共に、収納物が押し固められる際に攪拌羽根で攪拌することで、押し固められつつある収納物を解し、全体として押し固められる可能性を未然に低減する。こうすることで、収納物を取り出す際、容易に取り出せるようにすることができる。このとき、攪拌羽根の少なくとも一つに、複数の爪部が設けられているため、攪拌羽根の回転に伴って複数の爪部も回転し、収納物を攪拌する。こうすることにより、爪部を有しない場合と比較して、押し固められつつある収納物をより解すことができるため、収納物を収納部から取り出す際、容易に取り出すことができる。
【０００９】
本発明のサイロにおいて、複数の前記爪部は、前記主軸の最も下方側に位置する前記攪拌羽根に設けられており、複数の前記爪部は、複数の前記爪部が設けられた前記攪拌羽根の下面よりも上方側に位置することを特徴としてもよい。収納部の下方側に位置するほど、収納物が押し固められやすくなるため、主軸の最も下方側に位置する攪拌羽根に爪部を設けることにより、収納物が押し固められる可能性を未然に低減しつつ、押し固められつつある収納物を解し、収納物が収納部から取り出される際、容易に取り出すことができる。このとき、爪部は攪拌羽根の下面よりも上方側に位置するため、最も下方側に位置する攪拌羽根に爪部を設けた場合に、爪部が収納部の底面と当接する可能性がない。このため、爪部と収納部の底面とが当接し、爪部又は収納部が破損する可能性を未然に防ぐことができる。
【００１０】
本発明のサイロにおいて、前記爪部は、前記攪拌羽根の前記主軸側と他端側との中間位置よりも他端側に設けられていることを特徴としてもよい。こうすることにより、主軸から遠い位置、すなわち、攪拌羽根が回転する際に攪拌羽根が通過する間隔が長い位置を爪部が通過することになる。このような位置は、収納物が押し固められやすいため、爪部が主軸側と他端側との中間位置よりも他端側に設けられることにより、収納物が押し固められる可能性を未然に低減することができる。
【００１１】
本発明のサイロにおいて、最も下方側に位置する前記攪拌羽根は、回転方向に対して後方側に空気を供給する通風孔を有し、前記爪部は、前記攪拌羽根の回転方向に対して前方側に設けられていることを特徴としてもよい。こうすることにより、攪拌羽根の回転に伴って、まずは押し固められた収納物が爪部によって解され、爪部の回転に伴って生じた空隙に通風孔から空気が供給されることにより、収納物が押し固められる可能性を更に低減することができる。
【図面の簡単な説明】
【００１２】
【図１】図１は、サイロ２０の構成の概略を示す側面側から見た説明図である。
【図２】図２は、攪拌羽根４０の位置関係を説明するための説明図である。
【図３】図３は、攪拌羽根４０の構成の概略を示す説明図である。
【発明を実施するための形態】
【００１３】
次に、本発明の実施の形態の一例として、サイロ２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。
【００１４】
サイロ２０は、図１に示すように、上方側に収納物を収納する収納部２２と、収納部２２の底面を一部が貫通し、回転可能に設けられた主軸３０と、主軸３０の回転に伴って回転する５対の攪拌羽根４０（攪拌羽根４０ａ〜攪拌羽根４０ｊ）と、が備えられている。このサイロ２０では、図視しない駆動機構によって主軸３０が時計回り方向（図２中、矢印の方向）に回転し、主軸３０の回転に伴って攪拌羽根４０が回転し、収納部２２に収納された収納物を攪拌する。
【００１５】
主軸３０は、図１に示すように、上方側から攪拌羽根４０ａ、攪拌羽根４０ｂ、攪拌羽根４０ｃ、攪拌羽根４０ｄ、攪拌羽根４０ｅ、攪拌羽根４０ｆ、攪拌羽根４０ｇ、攪拌羽根４０ｈ、攪拌羽根４０ｉ、攪拌羽根４０ｊの順番に設けられた中空の翼状部材である。攪拌羽根４０ａと攪拌羽根４０ｂ、攪拌羽根４０ｃと攪拌羽根４０ｄ、攪拌羽根４０ｅと攪拌羽根４０ｆ、攪拌羽根４０ｇと攪拌羽根４０ｈ、攪拌羽根４０ｉと攪拌羽根４０ｊは、それぞれ対となっており、図２に示すように、主軸３０を中心にそれぞれ対向する位置に設けられている。また、図視しない駆動機構が主軸３０の下方側に設けられており、この駆動機構によって主軸３０が回転するに伴って、攪拌羽根４０が回転し、収納部２２に収納された収納物を攪拌することができる。
【００１６】
攪拌羽根４０は、図２に示すように、主軸３０の回転方向側に上方が傾斜する傾斜面４２を有し、板状部材がそれぞれ溶接されることにより中空に形成された断面が略三角形状の羽根部材であり、攪拌羽根４０が収納物に埋まった状態で回転すると、この傾斜面４２に沿って上方向に収納物を押圧しながら回転することになる。こうすることにより、収納物が押し固められる可能性を未然に低減しつつ、押し固められつつある収納物を解し、収納物が押し固められる可能性を未然に低減することができる。言い換えると、収納物が押し固められる可能性が低減されるため、収納物を取り出しやすい。
【００１７】
また、攪拌羽根４０のうち、最も下方側に位置する攪拌羽根４０ｉ及び攪拌羽根４０ｊは、図３に示すように、傾斜面４２に複数の爪部４４が、主軸の回転方向に対して後ろ側に複数の通風孔４６が、それぞれ設けられている。なお、図３は、攪拌羽根４０ｊの構成の概略を説明するための説明図であり、攪拌羽根４０ｊの前方側、後方側及び断面をそれぞれ表している。また、図３では、攪拌羽根４０ｊを例として示し、攪拌羽根４０ｉは、攪拌羽根４０ｊと同様であるため、ここでは説明を省略する。
【００１８】
爪部４４は、図３に示すように、略直方体形状の板状部材であって、攪拌羽根４０ｊの側面に対して約１５°傾いた角度でそれぞれ溶接されている。また、爪部４４は、攪拌羽根４０ｊの主軸３０側と他端側との中間位置よりも他端側にそれぞれ設けられているため、主軸３０から遠い位置に収納された収納物に当接することになる。収納部２２の主軸３０から遠い位置に収納された収納物は、主軸３０から近い位置に収納された収納物と比較して、攪拌羽根４０によって攪拌される間隔が長くなるため、主軸３０に近い位置に収納された収納物と比較して、押し固められやすい。このため、攪拌羽根４０ｊの主軸３０から遠い位置に爪部４４を設けることにより、押し固められやすい位置に爪部４４を位置させることができ、押し固められつつある収納物を解しやすい。言い換えると、主軸３０から遠い位置と比較して短い間隔で攪拌羽根４０が通過する主軸３０から近い位置には、爪部４４を設ける必要性が低い。なお、ここで爪部４４の角度は、約１５°に限定されるものではなく、収納部２２の大きさや収納物の性質等に従って、適宜定めることができる。
【００１９】
通風孔４６は、主軸３０の中空部３４を介して図視しない供給部から攪拌羽根４０ｊの中空部に供給された空気を収納部２２に供給する貫通孔であり、攪拌羽根４０の回転方向に対して後ろ側に複数設けられている。このように、通風孔４６を介して収納部２２の内部に空気を供給することにより、収納物の発酵を促すと共に、収納物が押し固められる可能性を未然に低減することができる。また、攪拌羽根４０の回転方向に対して後方側は、攪拌羽根４０の回転の際に収納部２２に収納された収納物が攪拌された直後であるため、収納物が攪拌された状態であり、収納物と収納物との間に空気を供給しやすい。加えて、通風孔４６が攪拌羽根４０の回転方向に対して後方側に設けられているため、攪拌羽根４０の回転に伴って、収納部２２に収納された収納物が通風孔４６を通って攪拌羽根４０ｊの内部に侵入する可能性を未然に低減することができる。
【００２０】
以上詳述した本実施の形態のサイロ２０によれば、収納部２２に回転可能に設けられた主軸３０の回転に伴って複数の攪拌羽根４０が回転し、収納部２２に収納された収納物を攪拌する。このとき、攪拌羽根４０ｊに、複数の爪部４４が設けられているため、攪拌羽根４０ｊの回転に伴って複数の爪部４４も回転し、収納物を攪拌する。こうすることにより、爪部４４を有しない場合と比較して、収納物が押し固められる可能性を未然に低減することができる。このため、収納物を収納部２２から取り出す際、容易に取り出すことができる。
【００２１】
また、複数の爪部４４は、最も下方側に位置する攪拌羽根４０ｊに設けられており、爪部４４は、攪拌羽根４０ｊの下面よりも上方側に設けられているため、収納部２２の下方側に位置する押し固められやすい収納物を攪拌することができ、しかも、攪拌羽根４０ｊの下面よりも上側に設けられているため、爪部４４と収納部２２の底面とが当接し、爪部４４又は収納部２２が破損する可能性を未然に防ぐことができる。
【００２２】
更に、爪部４４は、攪拌羽根４０ｊの主軸３０側と他端側との中間位置よりも他端側に設けられていることを特徴としてもよい。こうすることにより、主軸３０から遠い位置、すなわち、攪拌羽根４０が回転する際に攪拌羽根４０が通過する間隔が長い位置を爪部４４が通過することになる。このような位置は、収納物が押し固められやすいため、爪部４４が主軸３０側と他端側との中間位置よりも他端側に設けられることにより、収納物が押し固められる可能性を未然に低減することができる。
【００２３】
更にまた、攪拌羽根４０ｊは、回転方向に対して後方側に通風孔４６を有し、爪部４４は、回転方向に対して前方側に設けられているため、攪拌羽根４０ｊの回転に伴って、まずは押し固められた収納物が爪部４４によって解され、爪部４４の回転に伴って生じた空隙に通風孔４６から空気が供給されることにより、収納物が押し固められる可能性を更に低減することができる。
【００２４】
なお、本発明は上述した実施形態に何ら限定されることはなく、本発明の技術的範囲に属する限り種々の態様で実施し得ることはいうまでもない。
【００２５】
例えば、上述した実施の形態では、爪部４４は、略直方体の板状であるものとしたが、例えば、この形状に限定されるものではなく、種々の形状であってもよい。また、爪部４４は、攪拌羽根４０ｊの下方側よりも上方側に設けられるものとしたが、これに限定されるものではなく、攪拌羽根４０ｊと収納部２２の底面の間の位置であれば、いずれの位置であっても良い。攪拌羽根４０ｊを収納部２２の底面近傍に近づけることにより、収納部２２の底面近傍の収納物を解すことができるため、より収納物が押し固められる可能性を低減することができる。
【００２６】
上述した実施の形態では、爪部４４は、攪拌羽根４０ｊの主軸３０側と他端側との中間位置よりも他端側に設けられているものとしたが、他端側との中間位置よりも主軸３０側に設けられていても良い。この場合も、上述した実施の形態と同様の効果が得られる。
【００２７】
上述した実施の形態では、爪部４４及び通風孔４６は攪拌羽根４０ｊに設けられるものとしたが、他の攪拌羽根４０のいずれか又は全てに設けられていても良い。いずれの場合も、上述した実施の形態と同様の効果が得られる。
【産業上の利用可能性】
【００２８】
上述した実施の形態で示すように、サイロ分野、特に、内部を攪拌可能なサイロとして利用することができる。
【符号の説明】
【００２９】
２０…サイロ、２２…収納部、３０…主軸、３４…中空部、４０…攪拌羽根、４０ａ…攪拌羽根、４０ｂ…攪拌羽根、４０ｃ…攪拌羽根、４０ｄ…攪拌羽根、４０ｅ…攪拌羽根、４０ｆ…攪拌羽根、４０ｇ…攪拌羽根、４０ｈ…攪拌羽根、４０ｉ…攪拌羽根、４０ｊ…攪拌羽根、４２…傾斜面、４４…爪部、４６…通風孔。
【図１】
2019142562.tif 000003
【図２】
2019142562.tif 000004
【図３】
2019142562.tif 000005